(57)【特許請求の範囲】
【請求項１】
フォトリフラクティブ結晶体からなる体積ホログラフィックメモリを装着自在に支持する支持手段と、
第１波長の可干渉性参照光ビームを前記体積ホログラフィックメモリに入射する参照光手段と、
画像データに応じて変調された第１波長の可干渉性信号光ビームを前記体積ホログラフィックメモリに入射しその内部にて前記参照光ビームと交差せしめかつ前記参照光ビームとの３次元的な光干渉パターンを生成する信号光手段と、
前記参照光ビームの照射による前記体積ホログラフィックメモリの光干渉パターンの屈折率格子からの回折光を検出する手段と、を有する体積ホログラフィックメモリ光情報記録再生装置であって、
前記信号光ビームの光路に配置されかつ前記体積ホログラフィックメモリに入射する前記信号光ビームの光強度分布を、その０次回折光を中心に略半分だけ覆うマスク手段と、
前記体積ホログラフィックメモリにおける前記信号光ビーム及び参照光ビームの交差する領域の中心を、前記信号光ビームの光強度分布の０次及び１次回折光のピーク間距離の略２倍に等しい距離だけ移動せしめる移動調整手段と、を備えたことを特徴とする体積ホログラフィックメモリ光情報記録再生装置。
【請求項２】
前記体積ホログラフィックメモリの感光性を増加せしめ前記光干渉パターンの存在又は非存在に応じて屈折率格子を活性化又は非活性化する第２波長のゲート光ビームを前記体積ホログラフィックメモリに入射するゲート光手段を備えたことを特徴とする請求項１記載の体積ホログラフィックメモリ光情報記録再生装置。
【請求項３】
前記ゲート光手段は、スーパールミネッセントダイオードを有することを特徴とする請求項２記載の体積ホログラフィックメモリ光情報記録再生装置。
【請求項４】
前記ゲート光手段はゲート光ビームを前記信号光ビーム及び参照光ビームの交差する領域に限定して照射する手段を備えたことを特徴とする請求項２記載の体積ホログラフィックメモリ光情報記録再生装置。
【請求項５】
前記フォトリフラクティブ結晶体の体積ホログラフィックメモリはその光学結晶軸をその回転対称軸に平行に備えた一軸結晶の円柱体であり、前記移動調整手段は前記円柱体を光学結晶軸方向に移動させるとともに、該回転対称軸を中心として回転させる手段を備えたことを特徴とする請求項１記載の体積ホログラフィックメモリ光情報記録再生装置。
【請求項６】
前記フォトリフラクティブ結晶体の体積ホログラフィックメモリはその光学結晶軸をその１平面に平行に備えた一軸結晶の直方体であり、前記移動調整手段は前記体積ホログラフィックメモリに対して前記参照光ビームを相対的に移動させる手段を備えたことを特徴とする請求項１記載の体積ホログラフィックメモリ光情報記録再生装置。
【発明の詳細な説明】
【０００１】
【発明の属する技術分野】
本発明は、体積ホログラフィックメモリ及び体積ホログラフィックメモリを利用する光情報記録再生装置に関する。
【０００２】
【従来の技術】
従来、ホログラフィーの原理を応用したディジタル記録システムとして、ホログラフィックメモリシステムが知られている。ホログラフィックメモリシステムは、例えば、ニオブ酸リチウムＬｉＮｂＯ3などのフォトリフラクティブ結晶体のメモリ媒体にディジタルデータを記録、再生するものである。フォトリフラクティブ効果は、光励起によって生じた電荷が結晶内を移動することによって空間電界分布を形成し、これが一次の電気光学効果すなわちポッケルス効果と結び付いて結晶の屈折率を変化させる現象である。フォトリフラクティブ効果を有する強誘電体結晶などにおいては、通常1ｍｍあたり１０００ライン以上の細かい光入力パターンに対しても屈折率変化が応答し、またその効果は材料にもよるがマイクロ秒〜秒オーダーの応答速度でリアルタイムに生じることから、現像不要な実時間ホログラム媒体として種々の応用が研究されている。ホログラフィックメモリシステムにおいては、２次元の平面ページ単位でデータを記録、再生することができ、且つ複数のページを利用して多重記録が可能である。体積ホログラフィックメモリは、このメモリ媒体を直方体などの３次元形状として３次元記録を可能としたものである。フーリエ変換ホログラムの１種類である体積ホログラフィックメモリでは、２次元の画像ページ単位として体積ホログラフィックメモリの３次元的な空間内に分散されて記録される。以下に、体積ホログラフィックメモリシステムの概要を図１を参照して説明する。
【０００３】
図１において、エンコーダ２５は、体積ホログラフィックメモリ１に記録すべきデジタルデータを平面上に明暗のドットパターン画像として変換し、例えば縦４８０ビット×横６４０ビットのデータ配列に並べ替えて単位ページ系列データを生成する。このデータを例えば透過型のＴＦＴ液晶表示装置（Thin Film Transistor Liquid Crystal Display）（以下、ＬＣＤともいう）のパネルなどの空間光変換器（ＳＬＭ：Spatial Light Modulator）１２に送出する。
【０００４】
空間光変換器１２は、単位ページに対応する縦４８０ピクセル×横６４０ピクセルの変調処理単位を有し、照射されたシグナルビームをエンコーダ２５からの単位ページ系列データに応じて空間的な光のオンオフ信号に光変調し、変調されたシグナルビームすなわち信号光をレンズ１３へ導く。より詳しくは、空間光変換器１２は電気信号である単位ページ系列データの論理値“１”に応答してシグナルビームを通過させ、論理値“０”に応答してシグナルビームを遮断することにより、単位ページデータにおける各ビット内容に従った電気−光学変換が達成され、単位ページ系列の信号光としての変調されたシグナルビームが生成される。
【０００５】
信号光は、レンズ１３を介して体積ホログラフィックメモリ１に入射する。体積ホログラフィックメモリ１には、信号光の他に、信号光のビームの光軸に直交する所定の基準線から角度β（以下、「入射角β」と呼ぶ。）をもって参照光が入射する。
信号光と参照光とは、体積ホログラフィックメモリ１内で干渉し、この干渉縞が体積ホログラフィックメモリ１内に屈折率格子として記憶されることにより、データの記録が行われる。また、入射角βを変えて参照光を入射させて複数の２次元平面データを角度多重記録することにより、３次元データ記録が可能となる。
【０００６】
記録されたデータを体積ホログラフィックメモリ１から再生する場合には、信号光ビーム及び参照光ビームの交差する領域の中心に向け記録時と同じ入射角βで参照光のみを体積ホログラフィックメモリ１に入射させる。即ち、記録時とは異なり、信号光は入射させない。これにより、体積ホログラフィックメモリ１内に記録されている干渉縞からの回折光がレンズ２１を通して光検出器のＣＣＤ（Charge Coupled Device）２２へ導かれる。ＣＣＤ２２は、入射光の明暗を電気信号の強弱に変換し、入射光の輝度に応じたレベルを有するアナログ電気信号をデコーダ２６へ出力する。デコーダ２６は、このアナログ信号を所定の振幅値（スライスレベル）と比較し、対応する“１”及び“０”のデータを再生する。
【０００７】
体積ホログラフィックメモリでは、上記のように２次元の平面データ系列で記録を行うので、参照光の入射角βを変えることにより角度多重記録を行うことができる。即ち、参照光の入射角βを変化させることにより記録単位である２次元平面を体積ホログラフィックメモリ内に複数規定することができ、その結果、３次元での記録が可能となる。角度多重記録の例は、特開平２−１４２９７９号、特開平１０−９７１７４号に記載されている。
【０００８】
【発明が解決しようとする課題】
そこで本発明の目的は、体積ホログラフィックメモリへ高密度で干渉パターンを記録できる体積ホログラフィックメモリ光情報記録再生装置を提供することにある。
【０００９】
【課題を解決するための手段】
本発明の体積ホログラフィックメモリ光情報記録再生装置は、フォトリフラクティブ結晶体からなる体積ホログラフィックメモリを装着自在に支持する支持手段と、
第１波長の可干渉性参照光ビームを前記体積ホログラフィックメモリに入射する参照光手段と、
画像データに応じて変調された第１波長の可干渉性信号光ビームを前記体積ホログラフィックメモリに入射しその内部にて前記参照光ビームと交差せしめかつ前記参照光ビームとの３次元的な光干渉パターンを生成する信号光手段と、
前記参照光ビームの照射による前記体積ホログラフィックメモリの光干渉パターンの屈折率格子からの回折光を検出する手段と、を有する体積ホログラフィックメモリ光情報記録再生装置であって、
前記信号光ビームの光路に配置されかつ前記体積ホログラフィックメモリに入射する前記信号光ビームの光強度分布を、その０次回折光を中心に略半分だけ覆うマスク手段と、
前記体積ホログラフィックメモリにおける前記信号光ビーム及び参照光ビームの交差する領域の中心を、前記信号光ビームの光強度分布の０次及び１次回折光のピーク間距離の略２倍に等しい距離だけ移動せしめる移動調整手段と、を備えたことを特徴とする。
【００１０】
本発明の体積ホログラフィックメモリ光情報記録再生装置においては、前記体積ホログラフィックメモリの感光性を増加せしめ前記光干渉パターンの存在又は非存在に応じて屈折率格子を活性化又は非活性化する第２波長のゲート光ビームを前記体積ホログラフィックメモリに入射するゲート光手段を備えたことを特徴とする。
【００１１】
本発明の体積ホログラフィックメモリ光情報記録再生装置においては、前記ゲート光手段は、スーパールミネッセントダイオードを有することを特徴とする。本発明の体積ホログラフィックメモリ光情報記録再生装置においては、前記ゲート光手段はゲート光ビームを前記信号光ビーム及び参照光ビームの交差する領域に限定して照射する手段を備えたことを特徴とする。
【００１２】
本発明の体積ホログラフィックメモリ光情報記録再生装置においては、フォトリフラクティブ結晶体の体積ホログラフィックメモリはその光学結晶軸をその回転対称軸に平行に備えた一軸結晶の円柱体であり、前記移動調整手段は前記円柱体を光学結晶軸方向に移動させるとともに、該回転対称軸を中心として回転させる手段を備えたことを特徴とする。
【００１３】
本発明の体積ホログラフィックメモリ光情報記録再生装置においては、前記フォトリフラクティブ結晶体の体積ホログラフィックメモリはその光学結晶軸をその１平面に平行に備えた一軸結晶の直方体であり、前記移動調整手段は前記体積ホログラフィックメモリに対して前記参照光ビームを相対的に移動させる手段を備えたことを特徴とする。
【００１５】
【発明の実施の形態】
以下、本発明の実施例を図面を参照しつつ説明する。
図２は本発明による体積ホログラフィックメモリを用いる光情報記録再生装置の一例を示す。
記録時においては、レーザ１５から出射されたシグナルビームをビームスプリッタ１６で直進する信号光ビームと上方へ偏向する参照光ビームの２つに分け、それぞれは信号光ビーム光学系及び参照光ビーム光学系の光路に導かれる。
【００１６】
ビームスプリッタ１６を通過したシグナルビームは、シャッタ６ａ、光ビームエキスパンダ１４、空間光変調器１２及びフーリエ変換レンズ１３を通して体積ホログラフィックメモリ１０へ入射する。シグナルビームはコンントローラに制御される自動シャッタにより光ビームの体積ホログラフィックメモリに照射する時間を制御され、ビームエキスパンダ１４により所定径の平行光に拡大される。空間光変換器１２は、例えば縦４８０×横６４０ピクセルの２次元平面のＬＣＤであり、エンコーダ２５から供給されるディジタル記録データに応じて、ビームエキスパンダ１４からのビームを信号光に変換する。空間光変調器１２により記録ページデータに応じて各画素毎の透過／非透過に例えば市松模様のような２次元格子パターンにより空間変調された後、フーリエ変換レンズ１３によりフーリエ変換され、体積ホログラフィックメモリ１０に集光され、体積ホログラフィックメモリ１０内にフーリエ変換像として結像される。円柱体形状の体積ホログラフィックメモリ１０は、レンズ１３によるフーリエ面が体積ホログラフィックメモリ１０の回転対称軸と平行となるように配置する。フォトリフラクティブ結晶体の体積ホログラフィックメモリはその光学結晶軸をその回転対称軸に平行に備えたＬｉＮｂＯ3などの一軸結晶の円柱体である。
【００１７】
一方、参照光ビーム光学系では参照光ビームがミラー１７及び１８により反射され、体積ホログラフィックメモリ１０へ入射させ、媒体内部の位置でレンズ１３からの信号光ビームと交差させて干渉せしめ３次元の干渉縞を作る。ここで、参照光と信号光がフーリエ面上ではなく、フーリエ面の手前又は奥で干渉するようにミラー１８、レンズ１３などの光学系を配置する。
【００１８】
体積ホログラフィックメモリ１０の側面下方側には、ゲート光を生成するスーパールミネッセントダイオード３０が体積ホログラフィックメモリ１０の側面からゲート光を入射させるように設けられている。ゲート光は参照光と信号光の波長とは異なる体積ホログラフィックメモリ１０の感光性を増加せしめる第２の波長の光を含んでいる。ゲート光は体積ホログラフィックメモリ１０中の光干渉パターンの存在又は非存在に応じて屈折率格子を活性化又は非活性化する。よって、ゲート光は光干渉パターンによる屈折率格子の消去光としても機能する。ゲート光手段であるスーパールミネッセントダイオード３０はゲート光ビームを体積ホログラフィックメモリ１０中の信号光及び参照光の交差する領域に限定して照射するように配置され、コントローラ２０によりオンオフ制御されている。
【００１９】
また、体積ホログラフィックメモリ１０の側面近傍には、信号光ビームの光路に配置されたマスク５０が設けられている。マスク５０はＬＣＤなどからなり、体積ホログラフィックメモリに入射する信号光ビームの光強度分布を部分的に遮るように、例えばその０次回折光を中心に略半分だけ覆うように、コントローラ２０により制御される。
【００２０】
このように、データを記録するときには信号光と参照光とゲート光とを同時に体積ホログラフィックメモリ１０内の所定部位に照射し干渉パターンを屈折率が変化した屈折率格子として記録する。ホログラムの形成時間はレーザ光源装置の自動シャッタで制御される。
体積ホログラフィックメモリ中にフーリエ面が存在する場合、フーリエ面では信号光の強度が最大であるので、この高い光強度を有するフーリエ面上の信号光の０次光と参照光が干渉し合うとフォトリフラクティブ効果が飽和し、記録画像の非線形歪みが生じやすくなる傾向がある。参照光と信号光とをフーリエ面の手前もしくは奥で干渉させるようにシステムの光学系を配置し、慎重に非線形歪みの問題をさらに回避することもできる。
【００２１】
円柱体の体積ホログラフィックメモリ１０は、その光学結晶軸方向に所定ピッチで移動させるとともに、該回転対称軸を中心として所定ピッチで回転させる手段、すなわち上下移動及び回転移動機構上に配置される。上下移動及び回転移動機構は、駆動部１９と、駆動部１９に連結され、回転テーブル１９ａを有する上下移動機構１９ｂとを備える。駆動部１９は、コントローラ２０によりテーブル１９ａの回転及び上下移動を制御される。
【００２２】
体積ホログラフィックメモリ１０は、その結晶光学軸９が駆動部１９の回転軸と一致するようにテーブル１９ａ上に配置される。駆動部１９の回転により図２の矢印Ａの方向に体積ホログラフィックメモリ１０を移動させ、同時に図２の矢印Ｂの方向に体積ホログラフィックメモリ１０を回転させる。体積ホログラフィックメモリ１０の矢印Ａの方向の上下移動により、参照光と信号光とにより作られる干渉縞の体積ホログラフィックメモリ１０内の記録位置が矢印Ａの方向にシフトし、空間多重記録が実現される。また、テーブル１９ａと共に体積ホログラフィックメモリ１０が矢印Ｂの方向に回転することにより、干渉パターンの記録面が回転し、角度多重記録及び空間多重記録が実現される。
【００２３】
なお、本実施形態では、角度多重記録と空間多重記録とを同時に行う移動機構を示したが、体積ホログラフィックメモリ１０の結晶光学軸方向（矢印Ａ）の上下移動又は回転運動（矢印Ｂ）の一方のみを行う移動機構を使用して、一方のみの多重を行うこともできる。
また、上下移動及び回転移動機構の代りに、体積ホログラフィックメモリ１０の結晶光学軸方向の移動と回転移動とが別々に制御されるような移動機構を採用することもできる。例えば、回転方向については超音波モータなどにより回転させ、結晶光学軸方向の送り移動は別の１軸の移動ステージにより制御する構成とすることも可能である。
【００２４】
一方、再生時においては、上述のようにして記録された体積ホログラフィックメモリ１０を記録時と同様に回転移動機構の上に配置し、コントローラ２０の制御によりシャッタ６ａの閉塞並びにスーパールミネッセントダイオード３０のオフ制御を行いミラー１８からの参照光のみを入射させる。すると、体積ホログラフィックメモリ１０内に記録された干渉縞からの回折光が再生光として逆フーリエ変換レンズ２１を通ってＣＣＤ２２へ入射し、再生像を結像する。ＣＣＤ２２は、例えば空間光変換器１２と同様の縦４８０×横６４０ピクセルの２次元平面の受光面を有し、受光された再生光を電気信号に変換し、デコーダ２６へ出力する。デコーダ２６は、入力電気信号を所定のスライスレベルと比較し、２値のディジタルデータを出力する。
【００２５】
フーリエ変換ホログラム記録においてＬＣＤなどの光空間変調器１２でフーリエ変換された信号光は、光空間変調器１２の画素の繰り返しによる１次回折光が最高周波数成分となる。図３に示すように、信号光の光軸をｚ方向とし、体積ホログラフィックメモリ１０の結晶光学軸９をｙ方向とし、これら方向に直行する方向をｘ方向とすると、信号光と参照光を干渉させ体積ホログラフィックメモリ１０内で記録をおこなう際、フーリエ面に平行なｘｙ平面に信号光の光軸に対称な位置に空間周波数スペクトル分布光強度が生じる。
【００２６】
フーリエ変換ホログラムを用いるホログラム記録では、空間的に限られたスペースにホログラムを納めることができることと、情報をフーリエ変換して逆空間に情報を分散して記録すること、記録の冗長性を高めることができるという利点がある。
記録面の空間周波数（ｆsp）、光の波長（λ）、フーリエ変換レンズの焦点距離（Ｆ1）を用いて、フーリエ面での０次と１次フーリエスペクトルの間隔（ｄ）は次のように対応づけることができる。
【００２７】
【数１】
ｄ＝ｆsp・λ・Ｆ1
図３はフーリエ変換像の強度分布を示している。現光学系はＴＦＴ液晶の光空間変調器１２の画素ピッチが４２μｍ、波長５３２ｎｍ、焦点距離１６５ｍｍであるので、これに対応したフーリエスペクトル間隔（ｄ）は上式によると２．１ｍｍとなる。したがって記録すべき情報は光軸上約±２．１ｍｍの範囲に存在することになる。すなわち、図４に示すように、この１次回折光と０次光とで構成される田の字型のｘｙ空間内に光空間変調器１２に現れた２次元データを分散させている。
【００２８】
このとき光空間変調器１２で各画素毎の透過／非透過の２次元格子パターンの無数の有無を光のオン・オフとして表現すると、それらの情報のフーリエ変換像の基本波成分は画素の繰り返し周波数成分の１／２相当の周波数となる。
このため記録に重要となる基本波成分の大部分は０次光の周辺に集中するため、画素の１次回折光付近の高調波成分の情報は相対的に重要でなくなる。
【００２９】
そこで、本発明の体積ホログラフィックメモリ光情報記録再生装置においては、記録する際に隣りある合う信号光照射の１次回折光同士が重なるように周期的に空間配置することで、最密充填で情報を多重記録することができる。また、１次回折光の強度分布が０次光の強度分布と重ならないように記録する。
図２及び図５に示す体積ホログラフィックメモリの形状が円柱状の場合では、光空間変調器１２による情報の載った像を光検出器アレイのＣＣＤ２２へ結像させ、これを記録再生するためには、円柱曲面を持つ体積ホログラフィックメモリ内を光が通過するので像の歪を補正する補正光学系が必要となる。
【００３０】
信号光ビームが曲面を通過する際、体積ホログラフィックメモリの曲面方向において信号光ビームの幅が狭ければ狭いほど平面入射に近づくので、補正光学系の設計が容易となる。
そこで曲面に対して多重をおこなう場合は曲率を持つ平面方向（ｘ方向）の情報をマスク５０を用いて略１／２だけに制限することで、補正光学系の構成を容易にすることができる。
【００３１】
円柱状体積ホログラフィックメモリへホログラム記録する際に隣りある合う信号光照射の１次回折光同士が重なるように空間配置する具体例を図６に示す。図において、体積ホログラフィックメモリの回転軸を中心にその側面を展開して、信号光の光強度分布を平面的に表しているが、光強度分布は回転軸の円柱座標上に回転移動して離間している。回転移動して離間とは回転軸に対して或る位置に直線が存在する円柱体積ホログラフィックメモリをその回転軸まわりに回転させて当該直線が回転角度ごとに元の位置から異なる角度で存在する様子をしめす。
【００３２】
図６に示すように、コントローラ２０の制御により１層目には、一回の記録当たり、マスク５０の左半分にて信号光を遮断して右半分のみ光が透過するようにする（破線で囲まれた部分）。２層目には一回の記録当たり、逆にマスク５０の右半分を覆って左半分のみ信号光を透過させる。このとき円柱体積ホログラフィックメモリを一回毎所定ピッチで回転させながら螺旋状に移動させることで、角度多重と空間多重の両方を一度におこなうことができるが、１層目と２層目の高さ方向のギャップ（０次光同士の間隔）はピッチ２Ｈで済み、このとき最密充填で情報を多重記録することができる。このように、円柱状体積ホログラフィックメモリ１０においては、画像データに応じて変調された信号光と参照光との３次元的な光干渉パターンに対応する屈折率格子の複数を有するようになり、各々の屈折率格子の中心は、信号光の光強度分布の０次及び１次回折光のピーク間距離の略２倍に等しい距離に対応する角度だけ回転移動している。
【００３３】
以下同様に、層毎交互にマスクの右半分、左半分の順で信号光を透過させることにより、最適な多重を行うことができる。このとき同層内の記録部同士の間隔は、ピッチ２Ｈで済むが、円柱状の体積ホログラフィックメモリであるため、記録部分の干渉長が十分に長く、角度分解能が十分に大きければ隣接記録部との間隔はピッチ２Ｈ以下にすることも可能である。
【００３４】
なお、上記実施形態では、円柱体の体積ホログラフィックメモリ１０の結晶光学軸を上向きになるように配置しているが、回転移動機構の回転軸と同軸であれば、下向きになるように配置することも可能である。また、ゲート光を生成するスーパールミネッセントダイオード３０を円柱体の体積ホログラフィックメモリ１０の側面から入射させる場合を説明したが、ゲート光を体積ホログラフィックメモリ１０の頂面から入射させる構成としてもよい。
【００３５】
他の実施形態として図７に、体積ホログラフィックメモリ１０の形状が直方体状でｘｙｚ方向に独立に平行移動できる場合を示す。図８に示すように１層目にはマスク５０の上半分のみ信号光を透過するようにコントローラ２０により制御する。２層目は反対に下半分のみを透過させる。しかしこのとき１層目と２層目で高さ方向（ｙ方向）の体積ホログラフィックメモリ１０の相対的移動の必要はない。同一の高さで水平方向（ｘ方向）に走査する際に、０次光と１次光の間隔をＨと規定すると、同一層内の別の記録部との間隔をピッチ４Ｈに取り、２層目の記録時に１層目で空いている部分に２層目の０次光成分を押し込む形で多重記録することで、最密充填記録がおこなえる。３層目以降は１層及び２層目からピッチ２Ｈ下方または上方に移動して上記手順を繰り返すことで最密充填記録がおこなえる。このように、直方体体積ホログラフィックメモリ１０においては、画像データに応じて変調された信号光と参照光との３次元的な光干渉パターンに対応する屈折率格子の複数を有するようになり、各々の屈折率格子の中心は、信号光の光強度分布の０次及び１次回折光のピーク間距離の略２倍に等しい距離だけ平行移動して空間的に離間している。
【００３６】
また、上記実施形態では、体積ホログラフィックメモリ１０の側面入射について説明したが、図９に示すように、例えば、フォトリフラクティブ結晶体の体積ホログラフィックメモリはその光学結晶軸をその１平面に平行に備えた一軸結晶の直方体１０として、体積ホログラフィックメモリの上面に対して参照光の入射角βを変化させるために、一対のガルバノミラーを使用した角度多重記録システムにも、応用できる。
【００３７】
【発明の効果】
以上のように、本発明によれば、体積ホログラフィックメモリにおける信号光ビーム及び参照光ビームの交差する領域の中心を、信号光ビームの光強度分布の０次及び１次回折光のピーク間距離の略２倍に等しい距離だけ移動せしめるので、高密度の記録を行うことができる。
【図面の簡単な説明】
【図１】従来の体積ホログラフィックメモリシステムの構成を示す線図。
【図２】本発明による体積ホログラフィックメモリシステムの構成を示す側面図。
【図３】本発明による体積ホログラフィックメモリ光情報記録再生装置における要部と信号光強度分布を示す斜視図。
【図４】本発明による体積ホログラフィックメモリ光情報記録再生装置における信号光強度分布を示すグラフ。
【図５】円柱体積ホログラフィックメモリを装着した本発明による体積ホログラフィックメモリ光情報記録再生装置における要部を示す斜視図。
【図６】円柱体積ホログラフィックメモリにホログラム記録場合の記録順序を説明するためのマスク状態及び信号光強度分布を示す斜視図。
【図７】直方体体積ホログラフィックメモリを装着した本発明による他の実施例の体積ホログラフィックメモリ光情報記録再生装置における要部を示す斜視図。
【図８】直方体体積ホログラフィックメモリにホログラム記録場合の記録順序を説明するためのマスク状態及び信号光強度分布を示す斜視図。
【図９】本発明による他の体積ホログラフィックメモリシステムの構成を示す図。
【符号の説明】
１，１０  体積ホログラフィックメモリ
１３，２１  フーリエ変換レンズ
１４  ビームエキスパンダ
１５  レーザ
１６  ビームスプリッタ
１７，１８  ミラー
１９  駆動部
２０  コントローラ
２２  ＣＣＤ
２５  エンコーダ
２６  デコーダ
３０  スーパールミネッセントダイオード
５０  マスク
【図１】
0003833842.tif 000002
【図２】
0003833842.tif 000003
【図３】
0003833842.tif 000004
【図４】
0003833842.tif 000005
【図５】
0003833842.tif 000006
【図６】
0003833842.tif 000007
【図７】
0003833842.tif 000008
【図８】
0003833842.tif 000009
【図９】
0003833842.tif 000010